(57)【特許請求の範囲】
【請求項１】
無線機器（１０）の動作試験をする測定装置（２）において、
前記無線機器を外部の電磁波からシールドして収納するように開閉可能とされた複数のシールドボックスにして、当該シールドボックスの外部から取得可能な、該各シールドボックスで異なる固有の情報が記憶された記憶手段（２１）をそれぞれ有する複数のシールドボックス（７）と、
前記各シールドボックスと接続されて、前記記憶手段に記憶された情報を取得可能とされ、前記無線機器の動作試験を行うテスタ（９）とを備え、
前記各シールドボックスが、自身の開閉回数を検出する開閉検出部（２２）を有し、該開閉検出部による開閉情報が前記記憶手段に記憶されることを特徴とする測定装置。
【請求項２】
前記各シールドボックスで異なる固有の情報は、該シールドボックスの製造番号であることを特徴とする請求項１記載の測定装置。
【発明の詳細な説明】
【０００１】
【発明の属する技術分野】
本発明は、例えば携帯電話機などの無線機器の動作試験のためために各種測定をする測定装置にかかり、無線機器を外部の電磁波からシールドするシールドボックスを備えた測定装置に関するものである。
【０００２】
【従来の技術】
近年、移動体通信サービス網が逐次整備され、利便性に優れた携帯電話機、データカード、及びＰＤＣ(Personal Digital Cellular System)（以下、これらを総称して「無線機器」という。）が企業に止まらず個人にも普及している。このため、全国各地に各種の携帯電話機を取り扱う販売ショップ（移動通信業者）が点在している。そして、この種の携帯電話機に関する顧客サービスとして、移動体通信サービスの販売ショップには、顧客から持ち込まれた携帯電話機の動作を試験するための測定装置が配備されている。
【０００３】
図６は測定装置を用いた無線機器の測定システムを示す概要図、図７は図６の測定システムを構成する操作端末とシールドボックスの販売ショップでの配置状態の一例を示す図である。
【０００４】
図６に示すように、測定装置５０は、シールドボックス５１とサービステスタ（以下、テスタと略称する）５２を備えて構成される。
【０００５】
シールドボックス５１には、無線機器である携帯電話機５３が各種試験時に収納される。通常、このシールドボックス５１は、各種試験が行われる際、携帯電話機５３の収納する度に開閉操作される。図示はしないが、シールドボックスの開閉部分には、外部との間で無線電波の漏洩及び進入を阻止して、携帯電話機５３を外部の電磁波からシールドするためのシールドバネが設けられている。
【０００６】
テスタ５２は、複数台のシールドボックス５１と切替器５７を介して接続されている。図７の例における販売ショップでは、ハードウェア資源の効率化のため、テスタ５２が一台のみ配置されている。この一台のテスタ５２は、携帯電話機５３が収納される複数台のシールドボックス５１に共有して用いられる。このため、一台のテスタ５２は、切替器５７の切り替えにより、複数台の中の一台のシールドボックス５１が選択されて接続され、そのシールドボックス５１内に収納された携帯電話機５３の各種試験が行えるようになっている。
【０００７】
また、図７に示すように、販売ショップの各窓口には、パーソナルコンピュータ等の操作端末５４がシールドボックス５１と対で配置されている。そして、この窓口毎の複数台のシールドボックス５１と操作端末５４は、ルータ５５に接続され、ショップ内ＬＡＮ５６を構築している。
【０００８】
なお、テスタ５２による携帯電話機５３の各種試験に関する設定や切替器５７の切り替え操作は、窓口のオペレータの操作により操作端末５４から行えるようになっている。
【０００９】
そして、上記のように構成される測定装置５０では、シールドボックス５１内の携帯電話機５３に対して無線電波を送受信して各種試験（例えば送信出力電波強度や受信感度等）を行い、この各種試験結果に基づいて携帯電話機５３の動作が正常か否かを判別している。
【００１０】
【発明が解決しようとする課題】
上述した測定装置において、シールドボックス５１は、シールドバネが、開閉操作回数に伴って経年劣化するものである。このため、携帯電話機５３の各種試験を正確に行うには、シールド特性が極端に低下しないうちにシールドボックス５１を定期的に保守・交換する必要がある。
【００１１】
しかしながら、販売ショップにて、各シールドボックス５１のシールドバネの劣化状態、すなわち、各シールドボックス５１のシールド特性の低下などから生じる各シールドボックス５１の異常を把握することが難しい。その結果、正確な携帯電話機の動作試験が行われているか否かを判断できないこととなる。
【００１２】
また、販売ショップにて、各窓口のシールドボックス５１が故障や異常により使用不可能な状態にあると疑う時期は、故障と思われる携帯電話機５３が窓口に持ち込まれた際の動作試験の結果が疑わしき場合が多い。そこで、シールドボックス５１が使用不可能な状態にあると疑った場合には、持ち込まれた携帯電話機５３の各種試験に速やかに対応するために、販売ショップ内で正常と思われるシールドボックス５１と交換して使用している。
【００１３】
このため、従来では、シールドボックス５１の異常の有無に関わらず、全販売ショップのシールドボックス５１を販売ショップ毎あるいは地域毎に定期的に交換せざるを得なかった。ゆえに正常なシールドボックス５１までも交換してしまうこととなる。
【００１４】
そこで本発明は、上記課題を解消するために、販売ショップに配置された複数のシールドボックスの個々の動作状態などを管理して故障発生を未然に防いで保守作業の効率化を図ることができる測定装置を提供することを目的としている。
【００１５】
【課題を解決するための手段】
上記目的を達成するため本発明による請求項１記載の測定装置は、
無線機器１０の動作試験をする測定装置２において、
前記無線機器を外部の電磁波からシールドして収納するように開閉可能とされた複数のシールドボックスにして、当該シールドボックスの外部から取得可能な、該各シールドボックスで異なる固有の情報が記憶された記憶手段２１をそれぞれ有する複数のシールドボックス７と、
前記各シールドボックスと接続されて、前記記憶手段に記憶された情報を取得可能とされ、前記無線機器の動作試験を行うテスタ９とを備え、
前記各シールドボックスが、自身の開閉回数を検出する開閉検出部２２を有し、該開閉検出部による開閉情報が前記記憶手段に記憶されることを特徴とする。
【００１６】
請求項２記載の測定装置は、請求項１記載の測定装置において、
前記各シールドボックスで異なる固有の情報は、該シールドボックスの製造番号であることを特徴とする。
【００１７】
【発明の実施の形態】
以下、本発明の実施の形態を図面を参照して具体的に説明する。
、なお、本実施の形態では、無線機器である携帯電話機の送信及び受信状態が正常か否かを判定するべく各種試験（例えば送信出力電波強度や受信感度等）を行う測定装置にかかり、この測定装置における管理システムについて説明している。
【００１８】
図１は本発明による測定装置を含む管理システムの概要構成図、図２は前記測定装置におけるシールドボックスを示す斜視図、図３は前記測定装置におけるテスタとシールドボックスとの接続形態を示すブロック構成図である。
【００１９】
図１に示すように、本実施の形態での測定装置の管理システム１は、販売ショップに測定装置２と複数の操作端末３がルータ４に接続されてショップ内ＬＡＮ（以下、ＬＡＮと略称する）５を構成している。
【００２０】
測定装置２は、複数台（図１では四台）のシールドボックス７、各シールドボックス７に接続される切替器８と、切替器８を介して各シールドボックス７に接続される一台のサービステスタ（以下、テスタと略称する）９とを備えて構成される。
【００２１】
先ず、図２に示すように、シールドボックス７は、携帯電話機１０の動作試験を行うために、携帯電話機１０を周囲の電磁波からシールドするものであり、ボックス本体１１と、蓋体１２とを備えている。
【００２２】
ボックス本体１１は、アルミなどの電磁波を反射し得る金属板を外筐とし、その上面に携帯電話機１０が収納される収納部１３が設けられている。
【００２３】
収納部１３は、その上面が矩形状に開口されており、開口した部分よりボックス本体１１の内下方に進出した箱状の空間を有している。また、収納部１３の開口縁１３ａには、全周に渡って凹溝１４が形成されている。この凹溝１４は、本実施の形態では、Ｖ溝をなし、その内部に導電性を有したシールドバネ１５が凹溝１４内に連通して埋設されている。
【００２４】
収納部１３内には、ケーブル接続端子１６が配されている。ケーブル接続端子１６は、収納部１３内に引き込まれたケーブル１６ａの一端側に設けられ、携帯電話機１０の動作試験に際して携帯電話機１０に予め配されている制御コネクタに接続される。また、ケーブル１６ａの他端側は、ボックス本体１１の外部に引き出されている。
【００２５】
蓋体１２は、アルミなどの電磁波を反射し得る金属板により形成され、ボックス本体１１の収納部１３とは関与していない上面に蝶番１７を介して回動自在に設けられている。蓋体１２の蝶番１７を有していない周縁には、蓋体１２を回動させて閉めた際に、蓋体１２の周面とボックス本体１１の上面周側を閉塞する側板１２ａが一体に折曲形成されている。
【００２６】
蓋体１２の内壁面には、収納部１３の開口縁１３ａに設けられた凹溝１４と対応して嵌合される無端状の凸条１８が設けられている。この凸条１８は、蓋体１２を閉めた際に凹溝１４に嵌合され、その端縁がシールドバネ１５に当接される。また、蓋体１２を閉めた際には、例えば図２に示すキャッチクリップ１９などの固定手段によりボックス本体１１に固定される。なお、固定手段は上記キャッチクリップ１９以外に、蓋体１２をボックス本体１１に適宜固定する構成であればよい。
【００２７】
ボックス本体１１の内部であって、収納部１３の外底部分には、結合用アンテナ２０が設けられている。結合用アンテナ２０は、収納部１３の外底部分に配された基板の収納部１３側に向く上面にパターン状にして設けられている。結合用アンテナ２０は、携帯電話機１０のアンテナ１０ａと空間的に結合される。図示しないが、結合用アンテナは、結合用アンテナから見たインピーダンスを約５０Ωに変換するインピーダンス変換器を介してボックス本体１１の外部に引き出される同軸ケーブルに接続される。
【００２８】
図３に示すように、各シールドボックス７には、例えば不揮発性メモリのＥＥＰＲＯＭで構成される記憶手段２１が設けられている。記憶手段２１は、各シールドボックス７で異なる固有の製造番号などの自身の認識情報が予め記憶されている。この記憶手段２１には、シールドボックス７の外部から電源が供給される電源線２１ａと、ＥＥＰＲＯＭ制御信号を入出力する制御信号線２１ｂとが接続されている。
【００２９】
図３に示すように、各シールドボックス７には、携帯電話機１０の動作状態を試験するときに開閉される蓋体１２の開閉回数（例えば蓋を閉める回数）を検出する開閉検出部としての開閉センサ２２が設けられている。開閉センサ２２には、蓋体１２の開閉の検出信号をシールドボックス７の外部に出力する信号線２２ａが接続されている。
【００３０】
なお、上記記憶手段２１には、各シールドボックス７で異なる固有の製造番号などの自身の認識情報、および開閉センサ２２が検出した開閉回数とによる保守情報が二重に格納される。
【００３１】
次に、切替器８は、図１および図３に示すように、各シールドボックス７に接続されている。切替器８は、各シールドボックス７の台数に対応する複数の接点８ａを有している。一つの接点８ａには、主に、前記ケーブル接続端子１６からのケーブル１６ａと、前記結合用アンテナ２０からの同軸ケーブル（不図示）と、記憶手段２１からの電源線２１ａおよび制御信号線２１ｂと、開閉センサ２２からの信号線２２ａとが個別に接続されている。なお、図３においては、切替器８の一つの接点８ａには、各シールドボックス７に対し、電源線２１ａ，制御信号線２１ｂおよび信号線２２ａが接続された状態を示している。
【００３２】
テスタ９は、図１および図３に示すように、切替器８を介して各シールドボックス７に接続されている。テスタ９は、マイクロプロセッサ等のＣＰＵで構成され、切替器８に対し、各接点８ａに接続された各シールドボックス７に対応するように接続されている。図３に示すように、テスタ９は、切替器８に対して、記憶手段２１の電源線２１ａに対応する電源線９ａと、記憶手段２１の制御信号線２１ｂに対応する制御信号線９ｂと、開閉センサ２２の信号線２２ａに対応する信号線９ｃとを介して接続されている。また、図示しないがテスタ９は、切替器８に対して、ケーブル接続端子１６のケーブル１６ａに対応するケーブル（不図示）と、結合用アンテナ２０の同軸ケーブル（不図示）に対応する同軸ケーブル（不図示）とを介して接続されている。さらに、テスタ９は、切替器８の切替部８ａに対して、信号線９ｄを介して接続されている。
【００３３】
このように、テスタ９は、ハードウェア資源の効率化のため、各販売ショップにて一台配備される。そして、この一台のテスタ９は、切替器８を介して複数台のシールドボックス７に共有して用いられる。また、テスタ９は、シールドボックス７の台数と同じ台数の各操作端末３に対し、ルータ４によって接続されたＬＡＮ５を介して接続されている。
【００３４】
上記のように構成される測定装置２により携帯電話機１０の動作を測定する場合には、窓口のオペレータが試験対象の携帯電話機１０をケーブル接続端子１６に接続してシールドボックス７の収納部１３に収納して蓋体１２を閉じる。その後、オペレータによる操作端末３からの操作により、所定のシールドボックス７の選択、携帯電話機１０の種別、さらに測定に関する各種設定を行った後に試験を開始する。試験が開始されると、操作端末３からの設定に基づく各種試験毎の試験シーケンスが実行される。これにより、例えば携帯電話機１０の送信出力電波強度や受信感度等が測定され、この測定結果に基づいて携帯電話機１０の動作が正常か否かの判定がなされる。
【００３５】
ここで、テスタ９がシールドボックス７から保守情報を取得するときの手順について図４を参照しながら説明する。
図４は図３の構成における電源起動時の保守情報の読み取り手順を示すフローチャートである。
【００３６】
先ず、電源投入されると、テスタ９が切替器８にシールドボックス選択信号を出力する。シールドボックス選択信号は、テスタ９から信号線９ｄを介して切替器８の切替部８ａに入力される。これにより、切替部８ａが切替制御されて複数台の中の一台のシールドボックス７を選択する（ＳＴ１）。
【００３７】
一台のシールドボックス７が選択されると、選択されたシールドボックス７とテスタ９との間で、記憶手段２１の電源線２１ａと電源線９ａ、記憶手段２１の制御信号線２１ｂと制御信号線９ｂ、開閉センサ２２の信号線２２ａと信号線９ｃが各々接続され、選択されたシールドボックス７とテスタ９とが１対１で接続される。
【００３８】
ところで、シールドボックス選択信号は、上記試験に際しては、操作端末３により所定のシールドボックス７を選択した際に出力される信号であり、各操作端末３にＬＡＮ５を介して接続されたテスタ９から信号線９ｄを介して切替器８の切替部８ａに入力される。しかしながら、電源投入時には、テスタ９によりランダムに一台のシールドボックス７が選択される。
【００３９】
次いで、シールドボックス７の記憶手段２１に電源電圧が供給される。そして、テスタ９からのＥＥＰＲＯＭ制御信号により記憶手段２１に記憶されたシールドボックス７の保守情報（製造番号、開閉回数）を読み取る（ＳＴ２）。
【００４０】
次いで、読み取った保守情報が正常か否かを判別する（ＳＴ３）。保守情報が正常に読み取れられたと判断されると（ＳＴ３−Ｙｅｓ）、全てのシールドボックス７の保守情報の読み取りが完了したか否かを判別する（ＳＴ４）。
【００４１】
そして、全てのシールドボックス７の保守情報の読み取りが完了していないと判断されると（ＳＴ４−Ｎｏ）、ＳＴ１に戻り、次のシールドボックス７に選択を切り替えて保守情報の読み取りを行う。また、全てのシールドボックス７の保守情報の読み取りが完了したと判断されると（ＳＴ４−Ｙｅｓ）、切替器８を介してテスタ９に接続された全てのシールドケース７の保守情報が正常に読み取られたとして動作を終了する（ＳＴ５）。
【００４２】
また、ＳＴ３において、読み取った保守情報が正常に読み取れなかったと判断されると（ＳＴ３−Ｎｏ）、記憶手段２１に二重に格納されたもう一方の保守情報を読み取る（ＳＴ６）。そして、この読み取った保守情報が正常か否かを判別する（ＳＴ７）。保守情報が正常に読み取られたと判断されると（ＳＴ７−Ｙｅｓ）、ＳＴ１に戻り、次のシールドボックス７に選択を切り替えて保守情報の読み取りを行う。
【００４３】
また、ＳＴ７において、読み取った保守情報が正常に読み取れなかったと判断されると（ＳＴ７−Ｎｏ）、保守情報の読み取り異常（ＳＴ８）として終了し、読み取り不可としケーブルの接続を確認する。
【００４４】
続いて、保守情報としてのシールドボックス７の開閉回数の書き込み手順について図５を参照しながら説明する。
図５は図３の構成におけるシールドボックスの開閉回数の書き込み手順を示すフローチャートである。
【００４５】
上記試験時にオペレータによる操作端末３の操作によりテスタ９が切替器８にシールドボックス選択信号を出力する。この場合のシールドボックス選択信号は、操作端末３に携帯電話機１０が収納されたシールドボックス７を選択した際に出力される信号であり、各操作端末３にＬＡＮ５を介して接続されたテスタ９から信号線９ｄを介して切替器８の切替部８ａに入力される。これにより、試験対象の携帯電話機１０が収納された所望とする一台のシールドボックス７が選択される（ＳＴ１１）。
【００４６】
一台のシールドボックス７が選択されると、選択されたシールドボックス７とテスタ９との間で、記憶手段２１の電源線２１ａと電源線９ａ、記憶手段２１の制御信号線２１ｂと制御信号線９ｂ、開閉センサ２２の信号線２２ａと信号線９ｃが各々接続され、選択されたシールドボックス７とテスタ９とが１対１で接続される。
【００４７】
次いで、シールドボックス７の記憶手段２１に格納されている開閉回数の情報を読み取る（ＳＴ１２）。この情報にはチェックコードが付加されており、読み取った情報の正当性をチェックする（ＳＴ１３）。
【００４８】
次いで、テスタ９は、携帯電話機１０の動作試験中、シールドボックス７内の開閉センサ２２の信号をポーリングにより常時監視しており、ＳＴ１３で読み取った情報が正当と判断されると（ＳＴ１３−Ｙｅｓ）、試験時、シールドボックス７が開閉される毎に開閉回数をインクリメントする（ＳＴ１４）。
【００４９】
次いで、試験を終了するとき、インクリメントされたシールドボックス７の開閉回数を記憶手段２１に書き込んで更新する（ＳＴ１５）。このとき、一緒にチェックコードを計算して付加する。
【００５０】
また、ＳＴ１３において、読み取った情報が正当性のチェックで異常と判断すると（ＳＴ１３−Ｎｏ）、記憶手段２１に二重に格納されたもう一方の開閉回数の情報を読み取る（ＳＴ１６）。この読み取った開閉回数の情報に付加されたチェックコードから情報の正当性をチェックする（ＳＴ１７）。
【００５１】
そして、読み取った開閉回数の情報が正当と判断されると（ＳＴ１７−Ｙｅｓ）、ＳＴ１４に移行する。これに対し、二重化した開閉回数の情報が全て異常と判断すると（ＳＴ１７−Ｎｏ）、テスタ９がシールドボックス７の開閉回数の情報を無効と判断し、以後は開閉回数の情報は使用しない。
【００５２】
このように、本実施の形態によれば、販売ショップに配置された各シールドボックス７に、自身の認識情報が記憶された記憶手段２１を備え、電源の立ち上げ時に認識情報をテスタ９で読み取るようにしている。これにより、複数台のシールドボックス７が販売ショップ内で切替器８のどの接点８ａに接続されていても、各シールドボックス７の配置状態を管理することが可能となる。
【００５３】
また、各シールドボックス７に、開閉センサ２２を備え、開閉情報をテスタ９で読み取るようにしている。この開閉情報は、テスタ９において、携帯電話機１０の動作試験時にシールドボックス７の蓋体１２の開閉回数を常時更新してシールドボックス７の記憶手段２１に記憶させる。そして、次の電源立ち上げ時に更新された開閉情報を読み取っている。これにより、上記各シールドボックス７の配置状態の管理に加え、各シールドボックス７の開閉回数を管理することが可能となる。
【００５４】
特に、記憶手段２１には、認識情報および開閉情報とによる保守情報が二重に格納され、一方の保守情報が正常に読み取れなかった場合には、他方の保守情報を読み取るようにしているので、正常な保守情報を得ることが可能である。
【００５５】
また、記憶手段２１では、更新された開閉情報が書き込まれる際にチェックコードが付加され、テスタ９でこの開閉情報を読み取る際にチェックコードから情報の正当性をチェックするので、正常な保守情報を得ることが可能である。
【００５６】
したがって、どのシールドボックス７がどれだけの開閉回数であるかを管理することにより、シールドボックス７のシールドバネ１５の劣化状況を把握することができ、シールド特性が低下したシールドボックス７で不完全な試験を実行してしまうリスクが少なくなるとともに、シールド特性が極端に低下しないうちにシールドボックス７を定期的に保守・交換することが可能となる。
【００５７】
また、販売ショップ内にてシールドボックス７の配置が交換されても（切替器８への接続が変わっても）、各シールドボックス７の記憶手段２１に更新された保守情報が記憶されているので、引き続き管理することが可能である。
【００５８】
なお、上述した実施の形態では、シールドボックス７の開閉回数を管理するために蓋体１２の開閉回数を検出する開閉センサ２２を備えているが、これに代えて、携帯電話機１０の試験回数を管理して開閉回数と同等と判断するようにしてもよい。この試験回数の情報も、上述と同様に、記憶手段２１に更新して記憶させて読み取るようにすればよい。
【００５９】
ところで、上記実施の形態では、測定装置２の測定対象を携帯電話機１０としたが、これに限らず無線電波を送受する無線機器に対して同様に試験測定する構成であってもよい。この場合でも、シールドボックス７の管理を行うことが可能である。
【００６０】
【発明の効果】
以上説明したように本発明による測定装置は、無線機器を外部の電磁波からシールドして収納するように開閉可能とされた複数のシールドボックスが、シールドボックスの外部から取得可能な、各シールドボックスで異なる固有の認識情報が記憶された記憶手段を有している。これにより、販売ショップに配置された各シールドボックスの配置状態を管理することができる。また、販売ショップ内で各シールドボックスの配置が変わっても管理することができる。ゆえに、例えば、無線機器の試験回数を把握しておけば各シールドボックスのシールドバネの劣化状態が把握できるので、故障発生を未然に防いで保守作業の効率化を図ることができる。
【００６１】
また、各シールドボックスが、自身の開閉回数を検出する開閉検出部を有し、開閉検出部による開閉情報が記憶手段に記憶されることにより、各シールドボックスのシールドバネの劣化状態が常に把握できるので、故障発生を未然に防いで保守作業の効率化を図ることができる。
【００６２】
また、各シールドボックスと接続されて記憶手段に記憶された情報を取得可能とされ、無線機器の各種測定を行うテスタを備えたことにより、無線機器の各種測定を行う時、電源立ち上げ時などに、上記認識情報や試験回数あるいは開閉回数をテスタによって一元管理することができる。
【図面の簡単な説明】
【図１】本発明による測定装置を含む管理システムの概要構成図。
【図２】前記測定装置におけるシールドボックスを示す斜視図。
【図３】前記測定装置におけるテスタとシールドボックスとの接続形態を示すブロック構成図。
【図４】図３の構成における電源起動時の保守情報の読み取り手順を示すフローチャート。
【図５】図３の構成におけるシールドボックスの開閉回数の書き込み手順を示すフローチャート。
【図６】測定装置を用いた無線機器の測定システムを示す概要構成図。
【図７】図６の測定システムを構成する操作端末とシールドボックスの販売ショップでの配置状態の一例を示す図。
【符号の説明】
２…測定装置、７…シールドボックス、９…テスタ（サービステスタ）、１０…無線機器（携帯電話機）、２１…記憶手段、２２…開閉検出部。
【図１】
0003973952.tif 000002
【図２】
0003973952.tif 000003
【図３】
0003973952.tif 000004
【図４】
0003973952.tif 000005
【図５】
0003973952.tif 000006
【図６】
0003973952.tif 000007
【図７】
0003973952.tif 000008